(57)【特許請求の範囲】
【請求項１】
コンロ本体と、
前記コンロ本体に対して組み付けられ、少なくとも一部が機器の外面部を構成する組付板と、
ガスバーナを制御する制御部と、複数の配線からなる第１配線部と、前記第１配線部に接続される第１コネクタ部と、を備え、前記コンロ本体側に組み付けられる第１回路構成部と、
前記組付板に取り付けられる電子部品と、複数の配線からなる第２配線部と、前記第２配線部に接続される第２コネクタ部と、を備え、前記組付板側に組み付けられる第２回路構成部と、
電源部と、
を備え、
前記第１コネクタ部と前記第２コネクタ部とが結合している場合には、前記電源部から前記第１回路構成部への電力供給がなされ、且つ前記第１回路構成部と前記第２回路構成部とが少なくとも部分的に導通した状態となり、
前記第１コネクタ部と前記第２コネクタ部とが結合していない場合には、前記電源部から前記第１回路構成部への電力供給がなされず、且つ前記第１回路構成部と前記第２回路構成部とが非導通状態となる構成であるガスコンロ。
【請求項２】
コンロ本体と、
前記コンロ本体に対して組み付けられ、少なくとも一部が機器の外面部を構成する組付板と、
ガスバーナを制御する制御部と、複数の配線からなる第１配線部と、前記第１配線部に接続される第１コネクタ部と、を備え、前記コンロ本体側に組み付けられる第１回路構成部と、
前記組付板に取り付けられる電子部品と、複数の配線からなる第２配線部と、前記第２配線部に接続される第２コネクタ部と、を備え、前記組付板側に組み付けられる第２回路構成部と、
電源部と、
前記第１コネクタ部と前記第２コネクタ部とが結合していることを検出する検出部と、
を備え、
前記検出部が前記第１コネクタ部と前記第２コネクタ部との結合を検出したことを条件として前記制御部が前記ガスバーナを動作させ、
前記検出部が前記第１コネクタ部と前記第２コネクタ部との結合を検出しない場合に前記制御部が前記ガスバーナを動作させない構成であり、
前記電源部は、前記コンロ本体内に設けられ、
前記電源部の高電位側端子又は低電位側端子のいずれかに接続される電源側配線が、前記第１配線部の一部として前記第１コネクタ部に接続され、
前記第１回路構成部における高電位側又は低電位側の基準導電路となる配線が、前記第１配線部の一部として前記第１コネクタ部に接続され、
前記電源側配線と前記基準導電路となる配線とを導通させるための中間配線が、前記第２配線部の一部として前記第２コネクタ部に接続され、
前記第１コネクタ部と前記第２コネクタ部とが結合している場合には、前記電源側配線と前記基準導電路となる配線とが前記中間配線を介して導通状態となり、
前記第１コネクタ部と前記第２コネクタ部とが結合していない場合には、前記電源側配線と前記基準導電路となる配線とが非導通状態となる
ガスコンロ。
【請求項３】
前記組付板は、前記コンロ本体に対して上方側から組み付けられる天板であり、
前記電子部品は、前記天板の裏面側に組み付けられる天板側基板を含むことを特徴とする請求項１又は請求項２に記載のガスコンロ。
【請求項４】
前記電子部品は、外部からの操作を受ける操作部を含み、
前記第１コネクタ部と前記第２コネクタ部とが結合している場合には、前記操作部が操作されたときに所定の操作信号が前記第１回路構成部に入力される状態となり、
前記第１コネクタ部と前記第２コネクタ部とが結合していない場合には、前記操作部側からの信号が前記第１回路構成部に入力されない状態となる請求項１から請求項３のいずれか一項に記載のガスコンロ。
【請求項５】
前記電源部は、前記コンロ本体内に設けられ、
前記電源部の高電位側端子又は低電位側端子のいずれかに接続される電源側配線が、前記第１配線部の一部として前記第１コネクタ部に接続され、
前記第１回路構成部における高電位側又は低電位側の基準導電路となる配線が、前記第１配線部の一部として前記第１コネクタ部に接続され、
前記電源側配線と前記基準導電路となる配線とを導通させるための中間配線が、前記第２配線部の一部として前記第２コネクタ部に接続され、
前記第１コネクタ部と前記第２コネクタ部とが結合している場合には、前記電源側配線と前記基準導電路となる配線とが前記中間配線を介して導通状態となり、
前記第１コネクタ部と前記第２コネクタ部とが結合していない場合には、前記電源側配線と前記基準導電路となる配線とが非導通状態となる請求項１、３、４のいずれか一項に記載のガスコンロ。
【発明の詳細な説明】
【技術分野】
【０００１】
本発明は、ガスコンロに関するものである。
【背景技術】
【０００２】
従来から提供されているガスコンロには、施工やメンテナンスなどを行い易くする等の理由から、コンロの外面部を構成するプレートの一部を着脱可能にした構成のものがある。例えば、特許文献１には、上方開放部が天板で覆われた本体ケースを具備するコンロにおいて、天板を着脱可能とした例が開示されている。
【先行技術文献】
【特許文献】
【０００３】
【特許文献１】特開２００４−２５１５８９号公報
【発明の概要】
【発明が解決しようとする課題】
【０００４】
ところで、ガスコンロの外面部の一部を本体部に対して着脱し得る組付板とした場合、その組付板に電子部品を取り付けることも考えられる。例えば、組付板の一例としては、本体部の上方を覆う形で取り付けられる天板が挙げられ、この天板に電子部品を設けることにより天板側の機能を高めることも想定される。但し、このような組付板に電子部品を設ける場合には、この電子部品と本体部側の電子回路との電気的接続を確保するための電線が必要になり、このような電線を天板と本体部との間に介在させなければならない。
【０００５】
しかし、単に組付板と本体部とを接続する電線を設けるだけでは、組付板を本体部から取り外したときに組付板と本体部とが電線によって繋がったままになってしまう。このため、電線を分断するためのコネクタ（組付板側の回路と本体部側の回路とを分断するためのコネクタ）を電線の途中に設けておくことが望ましい。このようにすれば、施工時やメンテナンス時などにおいて組付板を本体部から取り外す場合、コネクタの連結を解除して組付板側の回路を本体部側の回路から分離させることができ、組付板を本体部から完全に取り外した状態で作業することが可能となる。
【０００６】
けれども、このようにコネクタの連結解除によって組付板側の回路を本体部側の回路から分離させ得る構成とすると、組付板を本体部から完全に取り外した後、再び組付板を取り付ける際に、作業者がコネクタの連結を忘れてしまう場合があり得る。このようにコネクタの連結が忘れられたまま組付板が本体部に取り付けられてしまうと、組付板側の電子部品が正常に動作しない状態のまま機器が使用されてしまう虞がある。例えば、コネクタが連結されていなくてもガスバーナに対する点火が可能な構成では、作業者がコネクタの連結を忘れたまま組付板の組付け作業を終えたとしても、点火自体は可能となってしまう。このような構成では、コネクタが連結されていない状態であっても、作業者は点火確認作業などによって点火を確認できた場合には、機器が正常状態に復帰したものと勘違いしてしまう虞があり、その後、コネクタが連結されていないことを疑うことなく通常通りに使用されてしまう虞がある。
【０００７】
本発明は、上述した課題を解決するためになされたものであり、機器外面部の一部をなす組付板を本体部に対して着脱可能とし、且つ組付板側に電子部品を設けた構成であり、組付板側の電子部品が正常に動作しない状態のまま機器が通常通りに使用されてしまう事態を防ぐことが可能な構成を提供することを目的とするものである。
【課題を解決するための手段】
【０００８】
第１の発明のガスコンロは、
コンロ本体と、
前記コンロ本体に対して組み付けられ、少なくとも一部が機器の外面部を構成する組付板と、
ガスバーナを制御する制御部と、複数の配線からなる第１配線部と、前記第１配線部に接続される第１コネクタ部と、を備え、前記コンロ本体側に組み付けられる第１回路構成部と、
前記組付板に取り付けられる電子部品と、複数の配線からなる第２配線部と、前記第２配線部に接続される第２コネクタ部と、を備え、前記組付板側に組み付けられる第２回路構成部と、
電源部と、
を備え、
前記第１コネクタ部と前記第２コネクタ部とが結合している場合には、前記電源部から前記第１回路構成部への電力供給がなされ、且つ前記第１回路構成部と前記第２回路構成部とが少なくとも部分的に導通した状態となり、
前記第１コネクタ部と前記第２コネクタ部とが結合していない場合には、前記電源部から前記第１回路構成部への電力供給がなされず、且つ前記第１回路構成部と前記第２回路構成部とが非導通状態となる構成である。
【０００９】
第１の発明は、機器外面部の一部をなす組付板がコンロ本体に対して着脱可能とされ、且つ組付板側には電子部品を備えた第２回路構成部が設けられる。そして、第１回路構成部と第２回路構成部との電気的接続が確保されていることを条件として電源部から第１回路構成部へと電力供給がなされ、第１回路構成部と第２回路構成部との電気的接続が確保されていない場合には電源部から第１回路構成部へと電力供給がなされない構成となっている。つまり、第１コネクタ部と第２コネクタ部とが結合されず、第２回路構成部がコンロ本体側と電気的に分離されたまま組付板がコンロ本体に組み付けられたとしても、この場合には第１回路構成部も動作しないことになる。
【００１０】
よって、組付板側の電子部品が正常に動作しない状態のまま機器が通常通りに使用されてしまう事態を防ぐことができる。使用者は、コネクタが接続されないまま組付板が組み付けられたとしても第１回路構成部の非動作によってその状態を確実に把握することができ、適切な対応をとりやすくなる。
【００１１】
第２の発明のガスコンロは、
コンロ本体と、
前記コンロ本体に対して組み付けられ、少なくとも一部が機器の外面部を構成する組付板と、
ガスバーナを制御する制御部と、複数の配線からなる第１配線部と、前記第１配線部に接続される第１コネクタ部と、を備え、前記コンロ本体側に組み付けられる第１回路構成部と、
前記組付板に取り付けられる電子部品と、複数の配線からなる第２配線部と、前記第２配線部に接続される第２コネクタ部と、を備え、前記組付板側に組み付けられる第２回路構成部と、
電源部と、
前記第１コネクタ部と前記第２コネクタ部とが結合していることを検出する検出部と、
を備え、
前記検出部が前記第１コネクタ部と前記第２コネクタ部との結合を検出したことを条件として前記制御部が前記ガスバーナを動作させ、
前記検出部が前記第１コネクタ部と前記第２コネクタ部との結合を検出しない場合に前記制御部が前記ガスバーナを動作させない構成であり、
更に、前記電源部は、前記コンロ本体内に設けられ、
前記電源部の高電位側端子又は低電位側端子のいずれかに接続される電源側配線が、前記第１配線部の一部として前記第１コネクタ部に接続され、
前記第１回路構成部における高電位側又は低電位側の基準導電路となる配線が、前記第１配線部の一部として前記第１コネクタ部に接続され、
前記電源側配線と前記基準導電路となる配線とを導通させるための中間配線が、前記第２配線部の一部として前記第２コネクタ部に接続され、
前記第１コネクタ部と前記第２コネクタ部とが結合している場合には、前記電源側配線と前記基準導電路となる配線とが前記中間配線を介して導通状態となり、
前記第１コネクタ部と前記第２コネクタ部とが結合していない場合には、前記電源側配線と前記基準導電路となる配線とが非導通状態となる。
【００１２】
第２の発明は、機器外面部の一部をなす組付板がコンロ本体に対して着脱可能とされ、且つ組付板側には電子部品を備えた第２回路構成部が設けられる。そして、第１コネクタ部と第２コネクタ部とが結合していることを検出する検出部が設けられ、検出部が第１コネクタ部と第２コネクタ部との結合を検出した場合に制御部がガスバーナを動作させ、第１コネクタ部と第２コネクタ部との結合を検出しない場合に制御部がガスバーナを動作させない構成となっている。つまり、第１コネクタ部と第２コネクタ部とが結合されず、第２回路構成部がコンロ本体側と電気的に分離されたまま組付板がコンロ本体に組み付けられたとしても、この場合にはガスバーナが正常に動作しないことになる。
【００１３】
よって、組付板側の電子部品が正常に動作しない状態のまま機器が通常通りに使用されてしまう事態を防ぐことができる。使用者は、コネクタが接続されないまま組付板が組み付けられたとしてもガスバーナの非動作によってその状態を確実に把握することができ、適切な対応をとりやすくなる。
【００１４】
第１及び第２の発明はいずれも、組付板が、コンロ本体に対して上方側から組み付けられる天板であってもよい。そして、電子部品は、天板の裏面側に組み付けられる天板側基板を含む構成であってもよい。
【００１５】
この構成によれば、電子部品が組み付けられた天板を着脱可能にしたガスコンロを構成することができる。そして、天板をコンロ本体から取り外す場合には、コネクタの結合を解除することで、電線による制約を無くした形で天板及び電子部品をコンロ本体から離脱させることができるため、作業性を高めることができる。一方、天板の装着時にコネクタの連結が忘れられてしまい、天板に設けられた電子部品が動作しない状態のまま天板が組み付けられたとしても、この場合には第１回路構成部が動作しないため機器が通常通りに使用されてしまう事態を防ぐことができる。
【００１６】
第１及び第２の発明はいずれも、電子部品は、外部からの操作を受ける操作部を含んでもよい。そして、第１コネクタ部と第２コネクタ部とが結合している場合には、操作部が操作されたときに所定の操作信号が第１回路構成部に入力される状態となり、第１コネクタ部と第２コネクタ部とが結合していない場合には、操作部側からの信号が第１回路構成部に入力されない状態となってもよい。
【００１７】
この構成によれば、コンロ本体に着脱される組付板に操作部を設けることができ、組付板をコンロ本体から取り外す場合には、コネクタの結合を解除することで、電線による制約を無くした形で組付板及び操作部をコンロ本体から離脱させることができる。一方、コネクタ同士が連結されずに操作部側からの信号が第１回路構成部に入力されない状態のまま組付板がコンロ本体に組み付けられたとしても、この場合には、第１回路構成部を動作させないようにすることができる。よって、組付板に設けられた操作部が正常に動作しない状態のまま機器が通常通りに使用されてしまう事態を防ぐことができる。
【００１８】
第１及び第２の発明はいずれも、電源部がコンロ本体内に設けられていてもよく、電源部の高電位側端子又は低電位側端子のいずれかに接続される電源側配線が、第１配線部の一部として第１コネクタ部に接続されていてもよい。そして、第１回路構成部における高電位側又は低電位側の基準導電路となる配線が、第１配線部の一部として第１コネクタ部に接続され、電源側配線と基準導電路となる配線とを導通させるための中間配線が、第２配線部の一部として第２コネクタ部に接続されてもよい。そして、第１コネクタ部と第２コネクタ部とが結合している場合には、電源側配線と基準導電路となる配線とが中間配線を介して導通状態となり、第１コネクタ部と第２コネクタ部とが結合していない場合には、電源側配線と基準導電路となる配線とが非導通状態となる構成であってもよい。
【００１９】
この構成では、第１コネクタ部と第２コネクタ部とが結合している場合に、電源部の端子から基準導電路へと続く経路が中間配線を介して導通状態となり、電源部から第１回路構成部への電力供給が可能となる。一方、第１コネクタ部と第２コネクタ部とが結合していない場合には、電源部の端子から基準導電路へと続く経路に中間配線が介在せず、この経路が非導通状態となる。よって、このような非連結時には電源部から第１回路構成部への電力供給を確実に遮断することができ、組付板側の電子部品が正常に動作しない状態のまま機器が通常通りに使用されてしまう事態をより確実に防ぐことができる。
【図面の簡単な説明】
【００２０】
【図１】図１は、実施例１のガスコンロの一部を概略的に示す平面図である。
【図２】図２は、実施例１のガスコンロの一部を概略的に示す正面図である。
【図３】図３は、実施例１のガスコンロの電気的構成を例示するブロック図である。
【図４】図４（Ａ）は、第１コネクタ部と第２コネクタ部とが連結した状態のときの電気的経路を簡略的に示す説明図であり、図４（Ｂ）は、第１コネクタ部と第２コネクタ部とが連結していない状態のときの電気的経路を簡略的に示す説明図である。
【図５】図５は、第１コネクタ部と第２コネクタ部とが連結していない状態のときのガスコンロの電気的構成を概念的に示すブロック図である。
【図６】図６は、実施例２のガスコンロの電気的構成を例示するブロック図である。
【発明を実施するための形態】
【００２１】
＜実施例１＞
以下、本発明の一例を具現化したガスコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。
【００２２】
図１、図２で示すガスコンロ１は、コンロ本体４に対して板状に構成された天板２が着脱可能に取り付けられてなるものである。コンロ本体４は、上方側が開放した箱状のケース体として構成され、前後左右が壁部によって囲まれた内部空間に各種部品を収容する構成をなす。
【００２３】
天板２は、組付板（少なくとも一部が機器の外面部を構成する板状部材）の一例に相当し、コンロ本体４の上方側の開口を閉塞する形でコンロ本体４に対して上方側から組み付けられる。この天板２は、図１、図２のようにコンロ本体４に組みつけられた状態でガスコンロ１の上面部として機能する。天板２は、コンロ本体４に対して着脱可能とされており、天板２の左右両側には天板２を厚さ方向に貫通した形で開口部が形成されている。
【００２４】
図１のように、天板２の左側の開口部の内側にはガスバーナ５が設けられ、右側の開口部の内側にはガスバーナ６が設けられている。それぞれの開口部の各上部には五徳１１，１２が各々設けられている。五徳１１，１２は、それぞれの上面に調理鍋（図示略）等の調理容器を載置し得る構成となっている。ガスバーナ５，６は、燃焼ガスを燃焼させて五徳１１，１２に載置された調理容器を加熱するように機能する。
【００２５】
図１のように、ガスバーナ５の中心にはセンサ部１５が設けられ、ガスバーナ６の中心にはセンサ部１６が設けられている。センサ部１５，１６は上下方向に出退可能であり且つバネ（図示略）により上方に付勢されている。センサ部１５は図２で示すサーミスタ７を備えたものであり、五徳１１に調理鍋が載置された際に下方向へ押し下げられる構成をなすとともに、サーミスタ７によってその載置された調理鍋の下面温度を検出する。センサ部１６は図２で示すサーミスタ８を備えたものであり、五徳１２に調理鍋が載置された際に下方向へ押し下げられる構成をなすとともに、サーミスタ８によってその載置された調理鍋の下面温度を検出する。
【００２６】
図１のようにガスコンロ１の上面側において、天板２の前端寄り且つ右端寄りの領域には、天板２を貫通した形で点火スイッチ２１，２２がそれぞれ設けられている。点火スイッチ２１，２２はいずれも天板２の上方側に突出した形で配置され、左側の点火スイッチ２１は、ガスバーナ５の点火操作を行うためのスイッチとなっている。また、右側の点火スイッチ２２は、ガスバーナ６の点火操作を行うためのスイッチとなっている。なお、天板２の後端寄りの領域には、図示しないグリル排気口を覆う形で排気カバー部１３が天板２の一部として構成され、この排気カバー部１３には複数の排気孔１３Ａが形成されている。
【００２７】
図２に示すように、ガスコンロ１の前面にはグリル扉１７とグリル点火スイッチ２３とが各々設けられている。グリル点火スイッチ２３は、図示しないグリルバーナの点火操作を行うためのスイッチとして構成されている。
【００２８】
図３のように、ガスバーナ５、ガスバーナ６及びグリルバーナには、イグナイタ２５〜２７が各々設けられている。イグナイタ２５〜２７は点火スイッチ２１〜２３の点火操作に夫々連動して火花を放電させて各種バーナに点火する機器である。また、ガスコンロ１には、ガスバーナ５にガスを供給する為の第１ガス供給管（図示略）と、ガスバーナ６にガスを供給する為の第２ガス供給管（図示略）と、グリルバーナにガスを供給する為の第３ガス供給管（図示略）とが設けられる。
【００２９】
図３を参照して、ガスコンロ１の電気的構成について説明する。
ガスコンロ１において、コンロ本体４の内部には電源部４０が収容されている。この電源部４０は、例えば２本の乾電池が直列に接続された構成となっており、コンロ本体４に対し直接又は他部材を介して間接的に固定されている。また、コンロ本体４の内部には、基板本体に各種電子部品が実装されてなるメイン基板９が設けられ、このメイン基板９もコンロ本体４に対して直接又は他部材を介して間接的に固定されている。
【００３０】
メイン基板９には、制御回路として機能するマイクロコンピュータ（以下、マイコンともいう）５０が設けられている。このマイコン５０は、ＣＰＵ、ＲＯＭ、ＲＡＭ等に加え、更に、図示しないタイマやＩ／Ｏインタフェイス等を備える。マイコン５０のＣＰＵは、ガスコンロ１の各種動作を統括制御するものであり、各種演算処理を行い得る。また、マイコン５０のＲＯＭにはガスコンロ１の各種制御プログラムが記憶されている。
【００３１】
マイクロコンピュータ５０には、電源回路４１、スイッチ入力回路４２、サーミスタ入力回路４３、イグナイタ回路４５、安全弁回路４６、電磁弁回路４７等が各々接続されている。電源回路４１は電源部４０（例えば電池ボックスに搭載される２つの乾電池）からの電力供給を受け、各種回路に印加する直流電源を生成する機能を有する。スイッチ入力回路４２は、点火スイッチ２１〜２３、及び操作スイッチ９１の押下を各々検出する。イグナイタ回路４５は各種バーナのイグナイタ２５〜２７を各々駆動する。安全弁回路４６は上述した第１〜第３ガス供給管にそれぞれ設けられた各安全弁２８〜３０の開閉を行う。電磁弁回路４７は上述した第１、第２ガス供給管にそれぞれ設けられた各電磁弁３１，３２の開閉を行う。なお、マイクロコンピュータ５０は、ガスバーナ５へと続く第１ガス供給管に設けられた電磁弁３１や安全弁２８の開放や閉塞を制御し得る部分であり、ガスバーナ６へと続く第２ガス供給管に設けられた電磁弁３２や安全弁２９の開放や閉塞を制御し得る部分である。このマイクロコンピュータ５０は、ガスバーナ５，６を制御する制御部の一例に相当する。
【００３２】
次に、天板２側とコンロ本体４側との電気的接続構造等について説明する。
図１、図２で示すガスコンロ１では、コンロ本体４に対して第１回路構成部６１が組み付けられており、天板２に対して第２回路構成部６２が組み付けられている。
【００３３】
図３、図４で示すように、第１回路構成部６１は、複数の配線からなる第１配線部７１と、第１配線部７１に接続される第１コネクタ部８１と、を備え、コンロ本体４側に組み付けられる電子回路として構成される。この第１回路構成部６１は、天板２及び第２回路構成部６２がコンロ本体４から取り外された後にもコンロ本体４側の部品として装着され続ける部分である。
【００３４】
第２回路構成部６２は、天板２に取り付けられる電子部品しての操作基板９０及び操作スイッチ９１と、複数の配線からなる第２配線部７２と、第２配線部７２に接続される第２コネクタ部８２と、を備える。操作基板９０は、天板側基板の一例に相当するものである。この第２回路構成部６２は、天板２側に組み付けられる電子回路として構成され、天板２をコンロ本体４から取り外す際に、天板２に組み付けられた連結体として天板２と共に取り外される部分である。
【００３５】
本構成では、図３、図４（Ａ）のように、第１コネクタ部８１と第２コネクタ部８２とが正規の連結状態で接続されている場合、電源部４０から第１回路構成部６１への通電が可能となり、電源部４０から第１回路構成部６１へ電力供給が供給される。そして、このように第１コネクタ部８１と第２コネクタ部８２とが正規の連結状態で接続されている場合、第１回路構成部６１と第２回路構成部６２とが少なくとも部分的に導通した状態となる。そして、この状態では、例えば、後述する信号線７２Ｄ，７１Ｄを用いて天板２側からコンロ本体４側へと信号を伝送することが可能となる。一方、図４（Ｂ）のように、第１コネクタ部８１と第２コネクタ部８２とが結合していない場合には、電源部４０から第１回路構成部６１への電力供給がなされず、且つ第１回路構成部６１と第２回路構成部６２とが非導通状態となる。
【００３６】
ここで、電力供給状態と電力遮断状態とを切り替えるための構成を詳述する。
本構成では、コンロ本体４内に電源部４０が設けられ、第１回路構成部６１もコンロ本体４内に設けられているが、電源部４０からの電力供給経路は、第２コネクタ部８２側を経由する構成である。このため、天板２と共に第２コネクタ部８２が取り外されてしまうと、電力供給経路が遮断されるようになっている。
【００３７】
具体的には、図４のように、電源部４０の低電位側端子（マイナス端子）に接続される電源側配線７１Ａが、第１配線部７１の一部として第１コネクタ部８１に接続されている。更に、第１回路構成部６１における低電位側の基準導電路となる配線７１Ｂが、第１配線部７１の一部として第１コネクタ部８１に接続されている。一方、第２コネクタ部８２側には、電源側配線７１Ａと基準導電路となる配線７１Ｂとを導通させるための中間配線７２Ａが第２配線部７２の一部として接続されている。なお、配線７１Ｂは、ガスコンロ１の使用時にグランド電位に保たれ、グランドとして用いられる配線である。
【００３８】
この構成では、図３、図４（Ａ）のように、第１コネクタ部８１と第２コネクタ部８２とが正規の連結状態で接続されている場合には、電源側配線７１Ａと基準導電路となる配線７１Ｂとが中間配線７２Ａを介して導通状態となる。これにより、基準導電路となる配線７１Ｂは、電源部４０の低電位側端子（マイナス端子）及びグランドラインに導通することになり、グランドレベルに保たれる。これにより、図３で示す電源回路４１には、所定の直流電圧が印加される電源ライン（配線７４による導電路）と、グランド電位で保たれるグランドライン（配線７１Ａ，７１Ｂによる導電路）とが確保されるため、電源部４０から通電がなされ、駆動電力が供給される。
【００３９】
また、本構成では、天板２（組付板）に組み付けられる電子部品の一例として外部からの操作を受ける操作スイッチ９１が設けられている。この操作スイッチ９１は、外部から押圧操作がなされたときに所定の押圧信号を発生させるスイッチとして構成される。図３、図４（Ａ）のように、第１コネクタ部８１と第２コネクタ部８２とが正規の連結状態で接続されている場合には、天板２側の信号線７２Ｄ（操作スイッチ９１に接続された信号線）とコンロ本体４側の信号線７１Ｄとが導通状態となり、このような導通状態で操作スイッチ９１に対して押圧操作がなされたときには、信号線７２Ｄ，７１Ｄを介して所定の押圧信号（例えばＨレベル信号）がスイッチ入力回路４２に入力される。
【００４０】
一方、図４（Ｂ）、図５のように、第１コネクタ部８１と第２コネクタ部８２とが接続されていない場合、信号線７２Ｄ，７１Ｄが互いに絶縁状態となる。つまり、操作スイッチ９１が押圧されても、信号線７２Ｄ，７１Ｄを介した信号伝送は一切なされず、第１回路構成部６１には押圧信号が入力されなくなる。
【００４１】
但し、このように操作スイッチ９１が使用不能となる場合、第１回路構成部６１側への電力供給も遮断されるため、操作スイッチ９１が使用不能な状態では機器を使用させないようにすることができる。具体的には、図４（Ｂ）、図５のように、第１コネクタ部８１と第２コネクタ部８２とが接続されていない場合、電源側配線７１Ａと基準導電路となる配線７１Ｂとが絶縁されて非導通状態となる。この場合、第１回路構成部６１側で基準導電路となるべき配線７１Ｂは、電源部４０の低電位側端子（マイナス端子）及びグランドに導通しないことになり、配線７１Ｂの端部がオープンになる。この場合、電源回路４１がグランドに導通せず、電源部４０からの通電は遮断される。
【００４２】
なお、操作スイッチ９１の用途は特に限定されないが、例えば、高温許可用の解除スイッチなどとして好適に使用できる。この場合、マイコン５０が、通常モードと高温炒めモードとを切り替える手段として機能し、高温炒めモードの条件を満たさない期間はガスコンロ１を通常モードに設定する。マイコン５０は、通常モードでは、ガスバーナ５又はガスバーナ６の使用時に、例えばサーミスタ７，８のいずれかで検出される温度が所定の第１閾値温度（例えば２５０℃）になった場合に、検出温度が閾値温度に達したサーミスタ側のガスバーナを自動的に消化させるように保護動作を行う。
【００４３】
一方、操作スイッチ９１が押されてから所定の終了条件が成立するまで（例えば、操作スイッチ９１の押圧から一定時間経過するまで）を「高温炒めモードの条件を満たす期間」とすることができる。マイコン５０は、操作スイッチ９１が押された場合、この期間は、閾値温度を第１閾値温度からこれよりも高い第２閾値温度（例えば、２９０℃）にシフトさせる。マイコン５０は、高温炒めモードでは、ガスバーナ５又はガスバーナ６の使用時に、サーミスタ７，８のいずれかで検出される温度が上記第２閾値温度（例えば２９０℃）になった場合に、検出温度が閾値温度に達したサーミスタ側のガスバーナを自動的に消化させるように保護動作を行うことになる。
【００４４】
操作スイッチ９１がこのような用途で使用される場合、図４（Ｂ）、図５のように第１コネクタ部８１と第２コネクタ部８２とが接続されていない状態で天板２がコンロ本体４に取り付けられてしまうと、操作スイッチ９１が押圧されても、信号線７２Ｄ，７１Ｄを介した信号伝送は一切なされないため、高温炒めモードに設定することができない異常な機器状態となってしまう。但し、この場合、第１回路構成部６１側への電力供給も遮断され、機器の動作（点火動作等）も停止するため、高温炒めモードに設定できない異常な機器状態で機器が使用されるようなことはない。
【００４５】
＜実施例２＞
次に、図６を参照して実施例２のガスコンロ１を説明する。
実施例２のガスコンロ１は、コンロ本体４の構成や天板２の構成は、実施例１と同様であり、図１、図２のような構成となっている。また、第１回路構成部６１は、電源側配線７１Ａと基準導電路となる配線７１Ｂとが一体となっており、いずれも第１コネクタ部８１に連結されていない点が実施例１の第１回路構成部６１と異なり、それ以外は第１回路構成部６１と同様である。第２回路構成部６２は、中間配線７２Ａを省略した点以外は実施例１の第２回路構成部６２と同様である。なお、図６では、信号線７１Ｄ以外の第１配線部７１は省略しており、信号線７２Ｄ以外の第２配線部７２は省略している。
【００４６】
実施例２のガスコンロ１の電気的構成は、上述したように第１回路構成部６１及び第２回路構成部６２を変更した点に加え、センサ２１０及びセンサ入力回路２１２を設けた点が実施例１と異なり、それ以外は、実施例１の図３の構成と同様である。
【００４７】
図６で示すガスコンロは、第１コネクタ部８１と第２コネクタ部８２とが結合していることを検出するセンサ２１０が設けられている。このセンサ２１０は、検出部の一例に相当する。なお、センサ２１０は、第１コネクタ部８１と第２コネクタ部８２との結合を検知し得るセンサであればよく、例えば、第１コネクタ部８１に設けられた第２コネクタ部８２の接触を検知する圧力センサであってもよく、第２コネクタ部８２の接近を検知する近接センサであってもよい。或いはその他のセンサであってもよい。
【００４８】
この構成では、センサ２１０（検出部）が第１コネクタ部８１と第２コネクタ部８２との結合を検出した場合に、マイクロコンピュータ５０がガスバーナを動作させる。つまり、マイコン５０は、上述した点火スイッチ２１，２２のいずれかに対して点火操作があった場合、センサ２１０によって第１コネクタ部８１と第２コネクタ部８２との結合を検知した検知信号が出力され、この検知信号をセンサ入力回路２１２を介して検出したことを条件としてガスバーナ５，６のうち操作されたスイッチに対応するガスバーナを点火させる。逆に、センサ２１０（検出部）が第１コネクタ部８１と第２コネクタ部８２との結合を検出していない場合、点火スイッチ２１，２２のいずれかに対して点火操作があったとしても、そのスイッチに対応するガスバーナは点火させない。
【００４９】
このような構成でも、天板２側の電子部品が正常に動作しない状態のまま機器が通常通りに使用されてしまう事態を防ぐことができる。使用者は、コネクタが接続されないまま天板２が組み付けられたとしてもガスバーナの非動作によってその状態を確実に把握することができ、適切な対応をとりやすくなる。
【００５０】
＜他の実施例＞
本発明は上記記述及び図面によって説明した実施例に限定されるものではなく、例えば次のような例も本発明の技術的範囲に含まれる。
（１）上述した実施例では、組付板として天板を例示したが、外面部を構成する板状部分を有するものであれば良く、天板に限定されない。
（２）上述した実施例では、組付板に組み付けられる電子部品の一例として押しボタン式の操作スイッチ９１を例示したが、これとは操作構造や操作によって伝達する情報が異なる操作部が設けられていてもよく、各種の情報を報知するランプや表示装置などの表示手段や、各種の音を発するブザーやスピーカなどの音声手段が組付板に設けられていてもよい。
（３）上述した実施例では、電源部４０の低電位側端子に接続される電源側配線７１Ａと、第１回路構成部６１における低電位側の基準導電路となる配線７１Ｂとを中間配線７２Ａによって接続する例を示したが、この構成に限定されない。例えば、電源部４０の高電位側端子に接続される電源側配線が、第１配線部７１の一部として第１コネクタ部８１に接続され、第１回路構成部６１における高電位側の基準導電路となる配線が、第１配線部７１の一部として第１コネクタ部８１に接続され、第１コネクタ部８１と第２コネクタ部８２との結合時にこれらを第２コネクタ部８２側に設けられた中間配線によって接続するようにしてもよい。
（４）第１コネクタ部８１は、第１回路構成部６１の複数の第１配線部７１のうち、少なくともいずれかに接続されていればよく、接続される第１配線部の数は単数でもよく、複数でもよい。第２コネクタ部８２は、第２回路構成部６２の複数の第２配線部７２のうち、少なくともいずれかに接続されていればよく、接続される第２配線部７２の数は単数でもよく、複数でもよい。
（５）実施例２では、センサ２１０に変えてマイコン５０によってコネクタ同士の結合を検知してもよい。例えばマイコン５０の出力ポートと第１コネクタ部８１との間にＨレベル信号を出力する第１信号線を設け、マイコン５０の入力ポートと第１コネクタ部８１との間に第２信号線を設け、第２コネクタ部８２には第１信号線と第２信号線とを接続するための中間配線を設けるようにする。そして、第１コネクタ部８１と第２コネクタ部８２とが接続された場合に、第１信号線と第２信号線とが中間配線を介して接続され、マイコン５０の入力ポートにＨレベル信号が入力されるようにしてもよい。
【符号の説明】
【００５１】
１…ガスコンロ
２…天板（組付板）
４…コンロ本体
５，６…ガスバーナ
４０…電源部
５０…マイクロコンピュータ（制御部）
６１…第１回路構成部
６２…第２回路構成部
７１…第１配線部
７１Ａ…電源側配線
７１Ｂ…基準導電路となる配線
７２…第２配線部
７２Ａ…中間配線
８１…第１コネクタ部
８２…第２コネクタ部
９０…操作基板（天板側基板）
９１…操作スイッチ（操作部、電子部品）
２１０…センサ（検出部）
【図１】
0006533705.tif 000002
【図２】
0006533705.tif 000003
【図３】
0006533705.tif 000004
【図４】
0006533705.tif 000005
【図５】
0006533705.tif 000006
【図６】
0006533705.tif 000007